(57)【特許請求の範囲】
【請求項１】
取付対象の互いに交差する第１面及び第２面をそれぞれに覆う第１片部と第２片部とを備えており、
これら第１片部及び第２片部の入隅側となる基端側部位よりも少なくとも先側部位の裏面には、入隅から先側に向かう方向に間隔を空けて複数本の切断補助溝が設けられ、
これら第１片部及び第２片部のうちの入隅から先側に向かう方向に沿う寸法が大とされた前記第１片部の厚さ寸法を、前記第２片部よりも大としたことを特徴とするカバー材。
【請求項２】
請求項１において、
前記第１片部及び前記第２片部のそれぞれの切断補助溝の溝底を構成する部位の厚さ寸法を、同寸法としたことを特徴とするカバー材。
【発明の詳細な説明】
【技術分野】
【０００１】
本発明は、互いに交差する第１面及び第２面を有する取付対象を覆うカバー材に関する。
【背景技術】
【０００２】
従来より、既設の枠材や、巾木、廻縁等の造作材を模様替えや改装する場合には、既設の造作材等を撤去し、新たな造作材等を設置する改装工事が行われていたが、大掛かりな作業になるという問題があった。
例えば、下記特許文献１には、断面がＬ字型とされ、巾木や廻縁、窓枠等の造作材を覆うカバーが開示されている。このカバーは、造作材の各面に対応するＬ字型の各片部のうちの一方の片部の幅が他方の片部の幅よりも大とされ、また、寸法を調節して施工可能なように、各片部の内面に、複数の切り溝を設けた構成とされている。
【先行技術文献】
【特許文献】
【０００３】
【特許文献１】特開２００４−１０７８７７号公報
【発明の概要】
【発明が解決しようとする課題】
【０００４】
しかしながら、上記のようなカバーは、既設の造作材の表面側に設けられるものであるため、薄くする必要があり、また、各片部の先端部（切断された端部）が対向する対象に対して突き合わせられて施工される。そのため、特に、幅が大とされた側の片部において、温度変化等に起因する伸縮等が生じ易くなり、浮きや反り等の変形が生じ易くなることが考えられる。
【０００５】
本発明は、上記実情に鑑みてなされたものであり、模様替えや改装等の作業性の向上が可能でありながらも、変形を抑制し得るカバー材を提供することを目的としている。
【課題を解決するための手段】
【０００６】
上記目的を達成するために、本発明に係るカバー材は、取付対象の互いに交差する第１面及び第２面をそれぞれに覆う第１片部と第２片部とを備えており、これら第１片部及び第２片部の入隅側となる基端側部位よりも少なくとも先側部位の裏面には、入隅から先側に向かう方向に間隔を空けて複数本の切断補助溝が設けられ、これら第１片部及び第２片部のうちの入隅から先側に向かう方向に沿う寸法が大とされた前記第１片部の厚さ寸法を、前記第２片部よりも大としたことを特徴とする。
【発明の効果】
【０００７】
本発明に係るカバー材は、上述のような構成としたことで、模様替えや改装等の作業性の向上が可能でありながらも、変形を抑制することができる。
【図面の簡単な説明】
【０００８】
【図１】（ａ）は、本発明の一実施形態に係るカバー材の一例とともに枠カバーを構成する反開口側カバーの一例を模式的に示す概略平面図、（ｂ）は、同カバー材としての開口側カバーの一例を模式的に示す一部破断概略平面図、（ｃ）は、図２のＸ部に対応させた一部破断概略拡大横断面図である。
【図２】同枠カバーを施工した状態の一例を模式的に示す一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係るカバー材を施工した状態を基準として上下方向等の方向を説明する。
【００１０】
図１及び図２は、本実施形態に係るカバー材の一例及びカバー材の施工状態の一例を模式的に示す図である。
本実施形態に係るカバー材１０は、図２に示すように、取付対象２の互いに交差する第１面３及び第２面５をそれぞれに覆う第１片部１１と第２片部１４とを備えている。
本実施形態では、カバー材１０を、取付対象としての枠材２を覆う枠カバー１を構成するものとしている。図２では、枠カバー１を、壁体に設けられる出入口等の開口を区画する既設の枠材２としての縦枠２を覆うように設けた例を示している。また、図例では、縦枠２を、開き戸が建て付けられる戸枠を構成するものとした例を示している。
【００１１】
縦枠２は、図２に示すように、固定枠とされ、いわゆるちり部が見込方向（壁厚方向に沿う方向）両側に形成されるように、枠材厚さ方向（見付方向）一方面となる反開口側に向く見込面を、適宜の枠下地に沿わせて枠下地に取り付けられる。つまり、縦枠２は、見込寸法（壁厚方向に沿う寸法）が壁体の壁厚よりも大きい寸法とされている。また、図例では、縦枠２の見込方向中心と壁体の壁心（壁体の厚さ方向中心）とを壁厚方向で略一致させて縦枠２を設けた例を示している。つまり、壁体の両側の壁面７，７からの縦枠２の見込方向両端部の各突出寸法（ちり寸法）を、互いに同寸法とした例を示している。
【００１２】
また、縦枠２の開口側に向く見込面側に、当該縦枠２の長手方向に沿って長尺な戸当り部材６を設けた例を示している。また、図例では、この戸当り部材６を、縦枠２の開口側に向く見込面側における見込方向中央部位に設けた例を示している。つまり、縦枠２の開口側に向く見込面を等分するように戸当り部材６を設けた例を示している。
この戸当り部材６によって見込方向に分断された開口側に向く開口側面３，３の各見込寸法（戸当り部材６の見込方向一方側面から見込方向一方側の見付面５までの見込方向に沿う寸法）は、見付面５の見付寸法（枠材厚さ寸法）よりも大とされている。また、壁体によって見込方向に分断されたいわゆるちり部の反開口側に向く反開口側面４，４の各見込寸法（壁面７から見込方向一方側の見付面５までの見込方向に沿う寸法）は、見付面５の見付寸法（枠材厚さ寸法）よりも小とされている。
なお、以下の枠カバー１の具体的構成の一例の説明では、枠カバー１が覆う対象を、図２に示す縦枠２としてその参照符号を付して説明しているが、枠カバー１は、後述するように種々の枠材を覆い得る構成とされている。
【００１３】
枠カバー１は、本実施形態に係るカバー材１０と他のカバー材２０とによって縦枠２を覆う構成とされている。本実施形態では、本実施形態に係るカバー材１０を、図１（ｃ）及び図２に示すように、第１面としての開口側面３と第２面としての見付面５とを覆う開口側カバー１０としている。また、他のカバー材２０を、第２面に交差する第３面としての反開口側面４と見付面５とを覆う反開口側カバー２０としている。
また、本実施形態では、枠カバー１を、上記のように壁体及び戸当り部材６によって見込方向に分断された縦枠２の見込方向両側のうちのいずれか一方の表面３，４，５を覆う構成としている。つまり、図２に示すように、それぞれに開口側カバー１０，１０と反開口側カバー２０，２０とを備えた２組の枠カバー１，１によって縦枠２の見込方向両側の表面３，４，５，３，４，５を覆う構成としている。なお、これら見込方向両側の枠カバー１，１は、互いに同様の構成とされており、以下では、一方の枠カバー１を例にとって説明する。
【００１４】
開口側カバー１０は、図１（ｂ）、（ｃ）に示すように、縦枠２の開口側面３を覆うように配される第１片部としての見込片部１１と、縦枠２の一方の見付面５を覆うように配される第２片部としての見付片部１４と、を備えている。
反開口側カバー２０は、図１（ａ）、（ｃ）に示すように、縦枠２の反開口側面４を覆うように配される見込片部２１と、縦枠２の一方の見付面５を覆うように配される見付片部２４と、を備えている。開口側カバー１０の見付片部１４は、この反開口側カバー２０の見付片部２４を覆うように配される構成とされている。
【００１５】
これら開口側カバー１０及び反開口側カバー２０は、縦枠２の長手方向（上下方向）に沿って長尺状とされ、全長に亘って一様な断面形状とされている。また、これら開口側カバー１０及び反開口側カバー２０は、縦枠２の長さ寸法に応じた長さ寸法とされている。なお、これら開口側カバー１０及び反開口側カバー２０は、適宜、施工現場等において縦枠２の長さ寸法に応じた長さに切断等されて長さ調整されるものとしてもよい。
また、これら開口側カバー１０及び反開口側カバー２０のそれぞれの見込片部１１，２１及び見付片部１４，２４は、薄板状とされ、それぞれの見込片部１１，２１と見付片部１４，２４とを略直交状に設けた構成とされている。つまり、これら開口側カバー１０及び反開口側カバー２０は、長手方向に見て略Ｌ字状とされている。
【００１６】
反開口側カバー２０の見込片部２１は、図１（ａ）、（ｃ）に示すように、切断によって見込方向に沿う寸法の調整が可能とされている。図例では、見込片部２１の反開口側面４に対面される裏面２２に、当該見込片部２１と見付片部２４との入隅から先側に向かう方向となる見込方向（幅方向）に間隔を空けて複数本の切断補助溝２３を設けた構成としている。このような構成とすれば、反開口側カバー２０の見込片部２１を切断補助溝２３に沿って切断することで、反開口側カバー２０の見込片部２１の見込方向に沿う寸法を、容易に調整することができる。
これら切断補助溝２３は、反開口側カバー２０の長手方向に延びるように、かつ反開口側カバー２０の全長に亘って設けられている。また、これら切断補助溝２３は、見込片部２１の裏面２２に、見込方向に等間隔を空けて設けられている。図例では、見込片部２１の見付片部２４との入隅側となる見付片部２４側の端部（基端部）から先端部を除いた裏面１２の概ね全体に亘って複数本の切断補助溝２３を設けた例を示している。なお、このような態様に代えて、見込片部２１の裏面２２の先側部位のみに複数本の切断補助溝２３を設けるようにしてもよい。
【００１７】
これら切断補助溝２３を設けるピッチ（隣り合う切断補助溝２３同士の溝幅方向中心間寸法）は、成形性や切断する際の作業性、寸法調整の度合等の観点から適宜、設定するようにしてもよい。例えば、上記ピッチを、０．５ｍｍ〜５ｍｍ程度、好ましくは、０．５ｍｍ〜２ｍｍ程度としてもよい。また、これら切断補助溝２３の溝深さ寸法は、切断する際の作業性や見込片部２１の強度上の観点、縦枠２に取り付けた状態における見栄え上の観点等から適宜、設定するようにしてもよい。例えば、切断補助溝２３の溝深さ寸法を、０．３ｍｍ〜２ｍｍ程度、好ましくは、０．５ｍｍ〜１ｍｍ程度としてもよい。また、上記のような観点等から、見込片部２１の切断補助溝２３の溝底を構成する部位（切断補助溝２３が設けられた部位の溝底側に残存する部位）の厚さ寸法を、０．３ｍｍ〜２ｍｍ程度、好ましくは、０．５ｍｍ〜１ｍｍ程度としてもよい。つまり、見込片部２１の厚さ寸法（切断補助溝２３が形成された部位における切断補助溝２３間の部位の厚さ寸法）を、０．６ｍｍ〜４ｍｍ程度、好ましくは、１ｍｍ〜２ｍｍ程度としてもよい。
【００１８】
また、図例では、切断補助溝２３を、溝長手方向に見て、略Ｖ字溝形状としているが、このような態様に限られず、略Ｕ字溝形状や略コ字溝形状、略逆台形状等としてもよい。また、図例では、切断補助溝２３が形成された部位における切断補助溝２３間の裏面２２を、平坦面としている。このような構成とすれば、当該反開口側カバー２０を縦枠２に固定（仮固定）する粘着テープ等の粘着材を裏面２２に安定的に貼着することができる。この平坦面の幅寸法（溝幅方向に沿う寸法）は、切断補助溝２３の溝形状やピッチに応じて、また、取付対象面への取付安定性の観点等から適宜、設定するようにしてもよく、例えば、０．２ｍｍ〜１．５ｍｍ程度としてもよい。なお、このような態様に代えて、切断補助溝２３間の裏面側部位を、尖頭形状としたり、突湾曲面形状としたりしてもよい。
また、見込片部２１の見込方向に沿う寸法（幅寸法）は、一般的に施工される縦枠２のうちの比較的にちり寸法が大きい寸法とされたものの反開口側面４を覆い得る寸法としてもよい。
この見込片部２１は、縦枠２のちり寸法に応じた見込寸法となるように切断補助溝２３に沿ってカッター等の切断具８によって切断され（図１（ａ）参照）、その先端部を壁面７に当接または近接させ、裏面２２を反開口側面４に沿わせて配される。
【００１９】
反開口側カバー２０の見付片部２４は、見付面５に対面される裏面２５が平坦面とされた薄平板状とされている。この見付片部２４の厚さ寸法は、見込片部２１の厚さ寸法と略同寸法とされている。また、この見付片部２４の枠材厚さ方向（入隅から先側に向かう方向）に沿う寸法（幅寸法）は、種々の厚さ寸法とされた縦枠２に適用可能なように、一般的に施工される縦枠２のうちの比較的に厚さ寸法が小さい寸法とされたものよりも小さい寸法とされている。つまり、見付片部２４は、見付面５の反開口側面４側から途中部位までを覆う構成とされている。なお、このような態様に代えて、見付片部２４の枠材厚さ方向に沿う寸法を比較的に大きくし、この見付片部２４の裏面２５に、上記同様の切断補助溝を設けた構成としてもよい。
【００２０】
また、図例では、反開口側カバー２０における見込片部２１と見付片部２４との出隅部に、開口側カバー１０の見付片部１４の先端部が突き合わせられる突出部２６を見込方向に突出するように設けた例を示している。この突出部２６は、壁厚方向外方側に向けて突出するように設けられており、当該反開口側カバー２０の全長に亘って設けられている。このような構成とすれば、開口側カバー１０の見付片部１４の先端部を反開口側カバー２０の突出部２６に突き合わせることで、開口側カバー１０の見付片部１４への引っ掛かり等に起因する剥がれ等を抑制することができ、脱離を抑制することができる。また、反開口側カバー２０の突出部２６を、反開口側カバー２０における見込片部２１と見付片部２４との出隅部に設けているので、見付方向途中部位において段差が形成されるようなものと比べて、カバー同士の継目を目立ち難くすることができ、見栄えを向上させることができる。なお、この突出部２６の突出寸法は、後記する開口側カバー１０の見付片部１４の厚さ寸法Ｔ２以上の寸法としてもよい。
【００２１】
開口側カバー１０の見付片部１４は、図１（ｂ）、（ｃ）に示すように、見込片部１１との入隅側となる基端側部位よりも少なくとも先側部位の裏面１５に、入隅から先側に向かう方向（枠材厚さ方向）に間隔を空けて複数本の切断補助溝１６を設けた構成とされている。つまり、この見付片部１４は、切断によって枠材厚さ方向に沿う寸法（幅寸法）の調整が可能とされている。図例では、見付片部１４の基端側部位を除いた裏面１５の概ね全体に亘って複数本の切断補助溝１６を設けた例を示している。
これら切断補助溝１６は、反開口側カバー２０の見込片部２１の切断補助溝２３と同様の構成とされ、開口側カバー１０の長手方向に延びるように、かつ開口側カバー１０の全長に亘って設けられている。また、上記と同様、切断補助溝１６が形成された部位（先側部位）における切断補助溝１６間の裏面１５を、平坦面としている。なお、図例では、見付片部１４の裏面１５の基端側部位に切断補助溝１６を設けていない例を示しているが、見付片部１４の裏面１５の全体に亘って複数本の切断補助溝１６を設けるようにしてもよい。また、例えば、見付片部１４の裏面１５の先端部に切断補助溝１６を設けないようにしてもよい。
【００２２】
また、この見付片部１４は、厚さ寸法（切断補助溝１６が形成された部位においては、切断補助溝１６間の部位の厚さ寸法）Ｔ２が全体に亘って略同寸法とされている。また、この見付片部１４の厚さ寸法Ｔ２は、上記した反開口側カバー２０の各片部２１，２４の厚さ寸法と略同寸法とされている。
また、この見付片部１４の幅寸法は、一般的に施工される縦枠２のうちの比較的に厚さ寸法が大きい寸法とされたものの見付面５を覆うように配された反開口側カバー２０の見付片部２４を覆い得る寸法としてもよい。例えば、この見付片部１４の幅寸法を、一般的に施工される縦枠２のうちの比較的に大とされたものの厚さ寸法に応じた寸法としてもよい。
この見付片部１４は、縦枠２の開口側面３から反開口側カバー２０の突出部２６の開口側に向く面までの枠材厚さ方向に沿う寸法に応じた幅寸法となるように切断補助溝１６に沿ってカッター等の切断具８によって切断される。また、このように寸法調整された見付片部１４は、その先端部を突出部２６に当接または近接させ、裏面１５を反開口側カバー２０の見付片部２４の表面に沿わせて配される。
【００２３】
開口側カバー１０の見込片部１１は、図１（ｂ）、（ｃ）に示すように、見付片部１４との入隅側となる基端側部位よりも少なくとも先側部位の裏面１２に、入隅から先側に向かう方向（見込方向）に間隔を空けて複数本の切断補助溝１３を設けた構成とされている。つまり、この見込片部１１は、切断によって見込方向に沿う寸法（幅寸法）の調整が可能とされている。図例では、見込片部１１の基端側部位及び先端部を除いた裏面１２の概ね全体に亘って複数本の切断補助溝１３を設けた例を示している。
この見込片部１１の入隅から先側に向かう方向に沿う寸法となる幅寸法は、見付片部１４の幅寸法よりも大とされている。この見込片部１１の幅寸法は、一般的に施工される縦枠２のうちの比較的に見込寸法が大きい寸法とされたものの開口側面３を覆い得る寸法としてもよい。
この見込片部１１は、縦枠２の開口側面３の見込寸法（戸当り部材６の見込方向一方側面から見込方向一方側の見付面５までの見込方向に沿う寸法）に応じた見込寸法となるように切断補助溝１３に沿ってカッター等の切断具８によって切断される（図１（ｂ）参照）。また、見込片部１１は、裏面１２を開口側面３に沿わせて配される。また、図例では、寸法調整された見込片部１１の先端部を戸当り部材６に当接または近接させて配されるものとした例を示している。
【００２４】
また、この見込片部１１の厚さ寸法（切断補助溝１３が形成された部位においては、切断補助溝１３間の部位の厚さ寸法）Ｔ１は、見付片部１４の厚さ寸法Ｔ２よりも大とされている。この見込片部１１の厚さ寸法Ｔ１は、見栄え上の観点や、見込片部１１の変形を抑制する観点等から適宜、設定するようにしてもよい。例えば、この見込片部１１の厚さ寸法Ｔ１を見付片部１４の厚さ寸法Ｔ２の１．１倍〜３倍程度の寸法としてもよく、好ましくは、１．２倍〜２倍程度の寸法としてもよい。図例では、見込片部１１の厚さ寸法Ｔ１を見付片部１４の厚さ寸法Ｔ２の１．５倍程度の寸法とした例を示している。
【００２５】
この見込片部１１の切断補助溝１３は、見付片部１４の切断補助溝１６と同様、開口側カバー１０の長手方向に延びるように、かつ開口側カバー１０の全長に亘って設けられている。また、上記と同様、切断補助溝１３が形成された部位（先側部位）における切断補助溝１３間の裏面１２を、平坦面としている。なお、図例では、見付片部１４と同様、見込片部１１の裏面１２の基端側部位に切断補助溝１３を設けていない例を示しているが、見込片部１１の裏面１２の概ね全体に亘って複数本の切断補助溝１３を設けるようにしてもよい。また、見込片部１１の裏面１２の先端部にも切断補助溝１３を設けるようにしてもよい。
【００２６】
また、本実施形態では、この見込片部１１の切断補助溝１３の溝底を構成する部位（溝底構成部位）の厚さ寸法Ｔ３と、見付片部１４の切断補助溝１６の溝底を構成する部位（溝底構成部位）の厚さ寸法Ｔ４と、を互いに同寸法としている。つまり、見込片部１１の表面から切断補助溝１３の溝底までの当該見込片部１１の厚さ方向に沿う寸法Ｔ３と、見付片部１４の表面から切断補助溝１６の溝底までの当該見付片部１４の厚さ方向に沿う寸法Ｔ４と、を互いに同寸法としている。つまりは、本実施形態では、見込片部１１の切断補助溝１３の溝深さ寸法を、見付片部１４の切断補助溝１６の溝深さ寸法よりも大としている。
また、本実施形態では、見込片部１１の切断補助溝１３のピッチ（隣り合う切断補助溝１３同士の溝幅方向中心間寸法）と、見付片部１４の切断補助溝１６のピッチと、を互いに同寸法としている。つまり、見込片部１１の切断補助溝１３の溝幅方向両内側面同士のなす角が、見付片部１４の切断補助溝１６の溝幅方向両内側面同士のなす角よりも鋭角状とされている。この見込片部１１の切断補助溝１３の溝幅方向両内側面同士のなす角は、切断具８によって切断する際の作業性等の観点から適宜の角度としてもよい。
【００２７】
なお、縦枠２の開口側面３と見付面５との出隅部に面取り部が設けられている場合には、この面取り部に対応させて、これら見込片部１１と見付片部１４との出隅部にも面取り部を設けるようにしてもよい。
また、開口側カバー１０及び反開口側カバー２０は、合成樹脂系材料や、木質系材料、金属系材料等から形成されたものとしてもよい。また、開口側カバー１０及び反開口側カバー２０は、例えば、合成樹脂系材料に、木粉や無機フィラー、相溶化剤、着色剤などを所定の含有割合で含有させた木粉（木質）・プラスチック複合材（ＷＰＣ）から形成されたものとしてもよい。
また、これら開口側カバー１０及び反開口側カバー２０における少なくとも縦枠２に取り付けられた状態で露出する表面を、突板や合成樹脂シート等の貼着や、塗装等によって表面化粧処理が施された化粧面としてもよい。
【００２８】
また、上記構成とされた開口側カバー１０及び反開口側カバー２０を備えた枠カバー１は、例えば、以下のようにして施工するようにしてもよい。なお、これら開口側カバー１０及び反開口側カバー２０は、粘着テープ等の粘着材や接着剤等によって縦枠２に固定されるものとしてもよい。
まず、反開口側カバー２０の見込片部２１の見込寸法を、縦枠２のちり寸法に応じた寸法となるように切断して調整する。そして、この反開口側カバー２０の見込片部２１と見付片部２４との入隅部を、縦枠２の反開口側面４と見付面５との出隅部に沿わせるようにして反開口側カバー２０を縦枠２に固定する。
また、開口側カバー１０の見込片部１１の見込寸法を、縦枠２の開口側面３の見込寸法に応じた寸法となるように切断して調整する。また、開口側カバー１０の見付片部１４の枠材厚さ方向に沿う寸法を、縦枠２の開口側面３から反開口側カバー２０の突出部２６の開口側に向く面までの枠材厚さ方向に沿う寸法に応じた寸法となるように切断して調整する。そして、この開口側カバー１０の見込片部１１と見付片部１４との入隅部を、縦枠２の開口面３と見付面５との出隅部に沿わせるようにして開口側カバー１０を縦枠２（及び反開口側カバー２０）に固定し、当該枠カバー１を施工するようにしてもよい。
【００２９】
なお、縦枠２に、蝶番等の回動連結部材や、ラッチ受け、錠装置等が取り付けられている場合には、これらに枠カバー１が干渉しないように、枠カバー１に、適宜、切欠きや開口等を設けるようにしてもよい。
また、上記した例では、開口側カバー１０の見込片部１１の先端部を、戸当り部材６に近接または当接させた例を示しているが、このような態様に限られない。例えば、戸当り部材６も模様替えや改装等の対象とする場合には、既設の戸当り部材６を覆う略コ字状のカバーを設け、このカバーの一片部によって開口側カバー１０の見込片部１１の先端部を押さえるように納めるような態様等としてもよい。または、既設の戸当り部材６を除去する場合には、新たに設置される戸当り部材の一側部によって開口側カバー１０の見込片部１１の先端部を押さえるように納めるような態様等としてもよい。
【００３０】
本実施形態に係るカバー材（開口側カバー）１０は、上述のような構成としたことで、模様替えや改装等の作業性の向上が可能でありながらも、変形を抑制することができる。
つまり、取付対象（縦枠）２の第１面（開口側面）３及び第２面（見付面）５をそれぞれに覆う第１片部（見込片部）１１及び第２片部（見付片部）１４の少なくとも先側部位の裏面１２，１５に、複数本の切断補助溝１３，１６を設けた構成としている。従って、開口側カバー１０によって既設の造作材等の表面３，５を覆うことができ、例えば、既設の造作材を撤去して改装工事等をする場合と比べて、模様替えや改装等の作業性を向上させることができる。また、各片部１１，１４を切断補助溝１３，１６に沿って切断することで、各片部１１，１４の入隅から先側に向かう方向に沿う寸法を、容易に調整することができる。これにより、種々の寸法とされた既設の造作材等に対して容易に適用することができ、汎用性を向上させることができる。
また、見込片部１１及び見付片部１４のうちの入隅から先側に向かう方向に沿う寸法が大とされた見込片部１１の厚さ寸法Ｔ１を、見付片部１４の厚さ寸法Ｔ２よりも大としている。従って、見付片部１４の薄型化を図りながらも、この見付片部１４よりも大判状で変形し易くなる側となる見込片部１１の変形を抑制することができる。
【００３１】
また、本実施形態では、見込片部１１及び見付片部１４のそれぞれの切断補助溝１３，１６の溝底を構成する部位（溝底構成部位）の厚さ寸法Ｔ３，Ｔ４を、同寸法としている。従って、見込片部１１の厚さを大としながらも、見込片部１１の切断性を阻害するようなことがなく、両片部１１，１４をそれぞれの切断補助溝１３，１６に沿って容易に切断することができる。なお、このような態様に代えて、見込片部１１の溝底構成部位の厚さ寸法Ｔ３を、見付片部１４の溝底構成部位の厚さ寸法Ｔ４よりも大としてもよい。この場合は、見込片部１１の切断補助溝１３の溝深さ寸法と見付片部１４の切断補助溝１６の溝深さ寸法とを同寸法としてもよい。
【００３２】
また、上記した例では、枠カバー１（開口側カバー１０）を、左右方向一方の縦枠２に取り付けたような例を示しているが、左右一対のそれぞれの縦枠２に取り付けるようにしてもよい。また、枠カバー１（開口側カバー１０）によって覆われる枠材としては、縦枠２に限られず、縦枠２に代えて、または加えて、上枠や下枠等の横枠としてもよい。この場合は、縦枠を覆う枠カバー１（開口側カバー１０）の長手方向端部と横枠を覆う枠カバー１（開口側カバー１０）の長手方向端部とを、例えば、留め継ぎ状や平継ぎ状に突き合わせるようにして納めるようにしてもよい。また、これらの場合は、適宜、枠カバー１（開口側カバー１０）の長手方向端部を切断等によって変形するようにしてもよい。
【００３３】
また、上記した例では、戸当り部材６を、縦枠２の見込方向中央部位に設け、見込方向両側の開口側面３，３の見込寸法を同寸法とした例を示しているが、このような態様に限られない。例えば、戸当り部材６を、縦枠２の見込方向一方側に寄った部位に設けるようにしてもよい。この場合は、開口側面３，３を覆う開口側カバー１０，１０の見込片部１１，１１の見込寸法等を、適宜、変形したり、切断等によって調整したりするようにしてもよい。
また、上記した例では、縦枠（枠材）２を、開き戸が建て付けられる戸枠を構成するものとした例を示しているが、このような態様に限られず、折戸や引戸等の他の建具が建て付けられる戸枠を構成するものとしてもよい。また、枠材２としては、戸枠を構成するものに限られず、窓枠や無目枠等を構成するものとしてもよい。例えば、既設の枠材２を、窓枠を構成するものとした場合は、枠カバー１（開口側カバー１０）を、窓枠の見込方向一方側のみに設けるようにしてもよい。
【００３４】
また、本実施形態では、枠カバー１を、本実施形態に係る開口側カバー（カバー材）１０に加え、枠材２の反開口側面４を覆う反開口側カバー２０を備えた構成としているが、このような態様に限られない。例えば、枠材２の開口側面３、見付面５及び反開口側面４のそれぞれを、２つのカバー材１０，１０によって覆う態様としてもよく、または、反開口側面４を覆わずに、単一のカバー材１０によって枠材２の開口側面３及び見付面５を覆う態様としてもよい。
また、本実施形態では、カバー材１０を、枠カバー１を構成するものとした例を示しているが、このような態様に限られない。例えば、カバー材１０を、巾木や廻縁等の造作材や、その他、種々の取付対象２における互いに交差する第１面３及び第２面５を覆う構成とされたものとしてもよい。この場合は、カバー材１０の第１片部１１及び第２片部１４の各寸法を、適宜、必要に応じて変形するようにしてもよい。
【符号の説明】
【００３５】
１０  開口側カバー（カバー材）
１１  見込片部（第１片部）
１２  裏面
１３  切断補助溝
１４  見付片部（第２片部）
１５  裏面
１６  切断補助溝
２    縦枠（取付対象）
３    開口側面（第１面）
５    見付面（第２面）
Ｔ１  見込片部の厚さ寸法
Ｔ２  見付片部の厚さ寸法
Ｔ３  見込片部の溝底構成部位（切断補助溝の溝底を構成する部位）の厚さ寸法
Ｔ４  見付片部の溝底構成部位（切断補助溝の溝底を構成する部位）の厚さ寸法
【図１】
0006440122.tif 000002
【図２】
0006440122.tif 000003